(57)【要約】【課題】  人体、被服などを損傷しないことや外観を良くすること、費用を軽減することである。【解決手段】  縦枠２の内側側面に釘本体の太さより大きい幅の連続溝４を設け、この縦枠に設けた連続溝の上に釘７の頭より大きい円形の溝を所定の間隔をおいて設けて、この縦枠の大きい円形の溝５に、建具の横方向の桟木６に頭を有する釘を中間部まで取付けた釘の頭を、挿入して縦枠を上又は下に移動して桟木に取付けた釘の頭を縦枠に押込み止めた建具１である。【選択図】図２
0003130452.tif 000002
【実用新案登録請求の範囲】
【請求項１】
建具の縦枠の内側側面に釘本体の太さより大きい幅の連続溝を設けるとともに該縦枠に設けた連続溝の上に釘の頭より大きい円形の溝を所定の間隔をおいて設けて、該縦枠の大きい円形の溝に、建具の横方向の桟木に頭を有する釘を中間部まで取付けた釘の頭を、挿入して縦枠を上又は下に移動して桟木に取付けた釘の頭を縦枠に押込み止めてなる建具。
【請求項２】
建具の縦枠の内側側面に釘本体の太さより大きい幅の非連続溝を設けるとともに該縦枠に設けた非連続溝の上に釘の頭より大きい円形の溝を所定の間隔をおいて設けて、該縦枠の大きい円形の溝に、建具の横方向の桟木に頭を有する釘を中間部まで取付けた釘の頭を、挿入して縦枠を上又は下に移動して桟木に取付けた釘の頭を縦枠に押込み止めてなる建具。
【請求項３】
建具の縦枠が、縦枠の表側で、左右方向の両側の縦枠に角形の溝を縦枠の上から下まで連続して縦方向に設けてなる請求項１又は請求項２記載の建具。
【請求項４】
建具の縦枠が、縦枠の表側と裏側で、左右方向の両側の縦枠に角形の溝を縦枠の上から下まで連続して縦方向に設けてなる請求項１又は請求項２記載の建具。
【請求項５】
建具の縦枠が、縦枠の上端に厚さ６ｍｍで横方向の外枠を設けてなる請求項１又は請求項２記載の建具。
【考案の詳細な説明】
【技術分野】
【０００１】  この考案は、襖などの建具に係るものである。
【背景技術】
【０００２】  従来の建具は、建具である襖の縁部に引手用突条を設けたものや襖の縁部に丸形又は角形の溝付き引手具を設けたものが一般に使用されている。【０００３】  この従来の前者の建具の襖では、襖から引手用突条が外側に常時突出しているので、この突出している引手用突条に人体や被服などが引掛って人体や被服などが損傷するおそれがあるという問題点があったし、外観が悪いという問題点があった。
更に、この従来の後者の建具の襖では、襖に溝付き引手具を取付けるので、襖に引手具取付用の窪みを設けたり、購入した引手具を取付けたりする手間と引手具の購入代金など費用が多くかかるという問題点があった。
【実用新案文献１】
実公昭４６−１３７５３
【考案の開示】
【考案が解決しようとする課題】
【０００４】  この考案は、従来の建具が有するこれらの問題点を解消することであり、人体、被服などを損傷しないことや外観を良くすること、費用を軽減することなどである。
【問題を解決するための手段】
【０００５】  この考案の建具は、建具の縦枠の内側側面に釘本体の太さより大きい幅の連続溝を設け、この縦枠に設けた連続溝の上に釘の頭より大きい円形の溝を所定の間隔をおいて設けて、この縦枠の大きい円形の溝に、建具の横方向の桟木に頭を有する釘を中間部まで取付けた釘の頭を、挿入して縦枠を上又は下に移動して桟木に取付けた釘の頭を縦枠に押込み止めたものである。
【考案の効果】
【０００６】  この考案の建具は、建具の縦枠の内側側面に釘本体の太さより大きい幅の連続溝を設け、この縦枠に設けた連続溝の上に釘の頭より大きい円形の溝を所定の間隔をおいて設けて、この縦枠の大きい円形の溝に、建具の横方向の桟木に頭を有する釘を中間部まで取付けた釘の頭を、挿入して縦枠を上又は下に移動して桟木に取付けた釘の頭を縦枠に押込み止めたから、止め具である釘が外部から見えないように釘を縦枠の内側に隠して隠し釘としたことにより釘の頭が外側に突出してないために使用時に建具と柱などとの間に隙間を生じることなく、良好な状態で建具を円滑に使用することができるとともに外観を良くすることができる。
更に、建具である襖を張替時や建具の縦枠が損傷などして修理交換などする時には縦枠を製作の時と逆方向の下又は上に移動して桟木に押込み止めた釘の頭を解除することにより縦枠を取外して襖などの建具を容易に張替えたり、容易に修理交換したりすることができる。
【０００７】  請求項２の建具においては、建具の縦枠の内側側面に非連続溝を必要とする箇所だけに設けたから、この非連続の溝を設ける総延長の長さを連続溝に較べて減少することができるために建具の製作費用を軽減することができるし、縦枠と建具の強度をより大きくすることができる。
【０００８】  請求項３の建具においては、縦枠の表側で、左右方向の両側の縦枠に角形の溝を縦枠の上から下まで連続して縦方向に設けたから、建具を片開きの１枚又は２枚以上の襖として使用して襖を左方向に引く時には、左側に設けた１方の角形の連続溝に使用者の手先きを挿入して連続溝を建具の引手として使用することができるし、襖を右方向に引く時には、右側に設けた他方の角形の連続溝に使用者の手先きを挿入して連続溝を建具の引手として使用することができる。この際に左右方向の両側に設けた１方の角形の連続溝を用いて左側と右側の双方に開閉して使用することもできる。そして、使用者は使用者の身長や手先きの高さなどに合わせて最適の高さで建具を開閉することができるし、夜間など暗い時でも引手としての上下に連続している連続溝を探し出し易いという効果がある。
更に、建具は外側に突出したものがないために人体や被服などを損傷するおそれがないという効果があるとともに建具に引手具取付用の窪みや購入した引手具を取付けたりする手間などが不要のために建具の製作費用を軽減することができる。
【０００９】  請求項４の建具においては、縦枠の表側と裏側で、左右方向の両側の縦枠に角形の溝を縦枠の上から下まで連続して縦方向に設けたから、建具を襖として使用して襖を左方向に引く時には、表側と裏側のいずれか１方の側で左側に設けた１方の角形の連続溝に使用者の手先きを挿入して連続溝を建具の引手として使用することができるし、襖を右方向に引く時には、表側と裏側の他方の側で右側に設けた他方の角形の連続溝に使用者の手先きを挿入して連続溝を建具の引手として使用することができる。この際に表側と裏側で左右方向の両側に設けた１方又は他方の角形の連続溝を用いて左側と右側の双方に開閉して使用することもができる。そして、使用者は使用者の身長などに合わせて最適の高さで建具を開閉することができるし、夜間などの暗い時でも引手としての上下に連続している連続溝を探し出し易いという効果がある。
更に、建具は外側に突出したものがないために人体や被服などを損傷するおそれがないという効果があるとともに建具に引手具取付用の窪みや購入した引手具を取付けたりする手間などが不要のために建具の製作費用を軽減することができる。
【００１０】  請求項５の建具においては、縦枠の上端に厚さ６ｍｍで横方向の外枠を設けたから、建具を上の鴨居溝と下の敷居溝に挿入して使用した時に建具の上端に設けた厚さ６ｍｍの外枠は溝の深い（１０ｍｍ位）鴨居溝の中に入って外からは人が見えない状態で綺麗な建具、例えば襖の場合には化粧襖紙だけが見られるために外観が良いというという効果があるとともに建具の開閉する時は滑り易くなるという効果があるし、かつ、建具を補強することができる。
【考案を実施するための最良の形態】
【００１１】  建具は、建具の縦枠の内側側面に釘本体の太さより大きい幅の連続溝を設け、この縦枠に設けた連続溝の上に釘の頭より大きい円形の溝を所定の間隔をおいて設けて、この縦枠の大きい円形の溝に、建具の横方向の桟木に頭を有する釘を中間部まで取付けた釘の頭を、挿入して縦枠を上又は下に移動して桟木に取付けた釘の頭を縦枠に押込み止めたものである。
【実施例１】
【００１２】  図１図２に図示したように、襖１の左右両側に縦枠２，２を設け、左側の縦枠２から右側の縦枠２までの上端と下端に厚さ６ｍｍの外枠３，３を釘で止める。
この縦枠２の内側側面に釘本体の太さより大きい幅の連続溝４を設けるとともにこの縦枠２の連続溝４の上に釘の頭より大きい円形の溝５を所定の間隔、例えば３０ｃｍの間隔をおいて設ける。襖１の横方向両端の桟木６に頭付きネジ釘７を中間部まで取付けて（図６図示）ネジ釘７の頭７′を縦枠２の大きい円形の溝５に挿入して縦枠２を木槌などで上から叩いて下に移動して桟木６に取付けたネジ釘７の厚さが薄い頭７′を縦枠２に押込んで縦枠２を桟木６に止めた襖１である。
なお、この実施例では縦枠２を木槌などで上から叩くことについて説明したが、木槌などで叩く方向は下からでもよい。符号８，８は襖１の縦枠２の表側と裏側に上から下まで連続して縦方向に設けた角形の連続溝である。【００１３】  この実施例１の襖１の造り方を説明すると次のとおりである。
襖１の縦枠２は図３から図５に図示したように、縦枠２の内側側面にネジ釘７の本体７″の太さより大きい幅の連続溝４を設け、この縦枠２の連続溝４の上に釘の頭より大きい円形の溝５を所定の間隔をおいて設ける。襖１の横方向の桟木６は図６に図示したように、桟木６の両端に頭付きネジ釘７をネジ釘７の中間部まで取付けて、この桟木６に取付けたネジ釘７の頭７′を縦枠２の大きい円形の溝５に挿入して縦枠２を木槌やプレス機などで上又は下から叩いたり、プレスしたりなどして移動することによりネジ釘本体は連続溝の中をスライド移動しながら桟木６のネジ釘７の頭７′を縦枠２に押込むことにより縦枠２と桟木６とをネジ釘７とネジ釘の頭７′で止め、その後に上下端に外枠３，３をそれぞれ釘で止めて襖１を造る（図２図示）。なお、釘はネジ釘に代えて普通の金属釘でよい。【００１４】  この実施例１の襖１を張替えたり、縦枠２を修理交換する時は次のとおりにして縦枠２を桟木６より取外す。
造る時と逆に上下端に釘で止めた外枠３，３を取外した後に、縦枠２を木槌などで取付けとは逆方向の下又は上から叩いて移動することにより縦枠２に押込まれていた桟木６取付けのネジ釘７の頭７′を大きい円形の溝５の位置まで移動して縦枠２を桟木６から取外す。
【実施例２】
【００１５】  実施例２の襖は図７に図示したように、縦枠１２の内側側面に釘本体の太さより大きい幅の溝を所定の間隔をおいて非連続にした非連続溝１４を設けるとともにこの縦枠１２の非連続溝１４の上に釘の頭より大きい円形の溝１５を設けた点の構成が実施例１の襖と構成が異なるものである。
この縦枠１２の円形の溝１５に、実施例１と同様に横方向両端の桟木（図示せず）に中間部まで取付けた釘の頭を、挿入して縦枠１２を木槌やプレス機などで上から叩いたり、プレスしたりなどして移動することによりネジ釘本体は連続溝の中をスライド移動しながら下に移動して桟木に取付けた釘の厚さが薄い頭を縦枠１２に押込んで図２と同様に縦枠１２を桟木に止めた襖である。なお、図７の縦枠１２において非連続溝１４を大きい円形の溝１５の上と下の双方に設けた縦枠について説明したが、非連続溝は大きい円形の溝の上又は下の１方に設けたものもよい。
【実施例３】
【００１６】  実施例３の襖は図８に図示したように、縦枠２２の表側で、左右方向の両側の縦枠にそれぞれ角形の溝２８，２８を縦枠の上から下まで連続して縦方向に設けた点の構成が実施例１などの襖と異なるものである。
【図面の簡単な説明】
【００１７】
【図１】  本考案品の正面図である。
【図２】  図１の拡大ＡーＡ断面図である。
【図３】  縦枠の拡大側面図である。
【図４】  図３のＢーＢ断面図である。
【図５】  図３のＣーＣ断面図である。
【図６】  桟木の縦断面図である。
【図７】  別の縦枠の拡大側面図である。
【図８】  他の縦枠の拡大断面図である。
【符号の説明】
【００１８】１    襖
２    縦枠
３    外枠
４    連続溝
５    円形の溝
６    桟木
７    釘
【図１】
0003130452.tif 000003
【図２】
0003130452.tif 000004
【図３】
0003130452.tif 000005
【図６】
0003130452.tif 000006
【図４】
0003130452.tif 000007
【図５】
0003130452.tif 000008
【図７】
0003130452.tif 000009
【図８】
0003130452.tif 000010